(57)【要約】【課題】構成を簡略化でき、コストダウンが可能な室内照明灯の提供を課題とする。【解決手段】車両の内装材５１に設けられた開口５２に取付可能なハウジング５３にレンズ５４が固定された意匠部５５と、この意匠部５５に支持されることにより内装材５１の裏面５１ａ側に配置され、かつ、光源５６を備える機能部５７とを有する。また、意匠部５５を所定位置に仮固定するために、開口５２の縁部に係止可能なクリップ５８がハウジング５３に設けられているとともに、開口５２の縁部から内装材５１の裏面５１ａに沿って突出する突出部５９が機能部５７の機能部本体７０に突設され、意匠部５５に機能部５７が支持されることにより、ハウジング５３と突出部５９とが内装材５１を挟持して自己保持する。【選択図】  図１
2005075023.tif 000002
【特許請求の範囲】
【請求項１】
車両の内装材に設けられた開口に取付可能なハウジングにレンズが固定された意匠部と、
前記意匠部に支持されることにより前記内装材の裏面側に配置され、かつ、光源を備える機能部とを有する室内照明灯であって、
前記意匠部を所定位置に仮固定するために、前記開口の縁部に係止可能なクリップが前記ハウジングに設けられているとともに、
前記意匠部に前記機能部が支持されることにより、前記意匠部に前記機能部とが前記内装材を挟持して自己保持することを特徴とする室内照明灯。
【請求項２】
前記開口縁部から前記内装材の裏面に沿って突出する突出部が前記機能部の機能部本体に突設され、
前記ハウジングと前記突出部とが前記内装材を挟持することを特徴とする請求項１に記載の室内照明灯。
【発明の詳細な説明】
【技術分野】
【０００１】
本発明は室内照明灯に関する。
【背景技術】
【０００２】
図４は、車両の天井面の略中央部に取り付けられる従来の室内照明灯２０の分解図である（例えば、特許文献１参照）。
この室内照明灯２０は、意匠部Ｂと、この意匠部Ｂに着脱自在に取り付けられる機能部Ａとを有している。このうち意匠部Ｂは、枠状のハウジング４１と、このハウジング４１に設けられたレンズ８１と、ハウジング４１の両側に設けられた係合爪４２とを有している。また、機能部Ａは、バルブ（電球）２４と、機能部本体２１とを有し、ハウジング４１の開口４６に取り付けられている。
【０００３】
また、この室内照明灯２０は、室内照明灯２０と車両のリインフォース６０とを相互に固定するべくハウジング４１のリインフォース６０側に垂設された固定手段４３と、逆Ｕ字状に折り曲げられて、その先端部がリインフォース６０の取付部８３に係止される可撓アーム４７と、この可撓アーム４７の側方に配設されるとともに、可撓アーム４７の支持片４５に係合して先端部が室内照明灯１の車体着脱方向に沿って変位するのを規制する可撓アーム規制部４７ａとを有している。
【０００４】
図５は、車両の天井面の略中央部に取り付けられる従来の別の室内照明灯１を示す（例えば、特許文献２参照）。
この室内照明灯１は、ルーフパネルの室内側に固定されてなる骨格部材２に開口８５が形成され、該開口８５に沿って形成された第１係合手段６と、前記開口８５の縁部８５ｂに突出形成された第２係合手段７と、前記開口８５の縁部８５ｂに沿った位置に配設された第３係合手段８とを有している。
【０００５】
また、室内照明灯１には、前記第１および第２係合手段６，７に係合可能なる第１および第２爪手段１１，１２と、前記第３係合手段８上に載置可能な載置手段１３とが設けられている。この室内照明灯１は、予め組み立てられてルーフトリム４を介在して、前記骨格部材２に係合支持される。
【特許文献１】特開２００３−４００３２号公報
【特許文献２】特開２００２−１２７８１９号公報
【発明の開示】
【発明が解決しようとする課題】
【０００６】
しかしながら、従来の図４に示した室内照明灯２０は、室内照明灯２０をリインフォース６０に固定するための固定手段４３が必要であり、構成が複雑になり、コストアップになるという問題があった。
【０００７】
また、車両側には、リインフォース６０が必要となり、部品点数が増えてコストアップになるという問題があった。
【０００８】
また、図５に示した室内照明灯１は、車両側に室内照明灯１を固定するための骨格部材２が必要になるので、部品点数が増加してコストアップになるという問題があった。更に、室内照明灯１側にも、骨格部材２に固定するための係合手段６，７が必要になるので、構成が複雑でコストアップになるという問題があった。
【０００９】
本発明は、構成を簡略化でき、コストダウンが可能な室内照明灯の提供を課題とする。
【課題を解決するための手段】
【００１０】
前述した目的を達成するために、本発明は、車両の内装材に設けられた開口に取付可能なハウジングにレンズが固定された意匠部と、前記意匠部に支持されることにより前記内装材の裏面側に配置され、かつ、光源を備える機能部とを有する室内照明灯であって、
前記意匠部を所定位置に仮固定するために、前記開口の縁部に係止可能なクリップが前記ハウジングに設けられているとともに、前記意匠部に前記機能部が支持されることにより、前記意匠部に前記機能部とが前記内装材を挟持して自己保持することを特徴とする。
【００１１】
本発明では、意匠部に機能部とが内装材を挟持して自己保持するので、従来のように内装材に室内照明灯を固定する為の固定手段や係止部材などを設ける必要がない。また、内装材側に補強部材を設ける必要がない。
【００１２】
また、本発明は、前記開口縁部から前記内装材の裏面に沿って突出する突出部が前記機能部の機能部本体に突設され、前記ハウジングと前記突出部とが前記内装材を挟持することを特徴とする。
【発明の効果】
【００１３】
本発明によれば、室内照明灯に内装材に固定するための固定手段や係止部材を設ける必要がないので、構成を簡略化でき、コストダウンが可能になる。また、車両の内装材に補強部材を設ける必要がないので、部品点数を削減でき、コストダウンが可能になる。
【発明を実施するための最良の形態】
【００１４】
以下、本発明に係る実施形態を図面に基づいて詳細に説明する。図１は本発明に係る実施形態を示す断面図、図２は本発明に係る実施形態を示す分解斜視図、図３は本発明に係る実施形態の組み立て状態を示す斜視図である。
【００１５】
図１に示すように、本発明の実施形態に係る室内照明灯５は、車両の内装材５１に設けられた開口５２に取付可能なハウジング５３にレンズ５４が固定された意匠部５５と、この意匠部５５に支持されることにより内装材５１の裏面５１ａ側に配置され、かつ、光源５６を備える機能部５７とを有する。
【００１６】
また、この室内照明灯５は、図２に示すように、意匠部５５を所定位置に仮固定するために、内装材５１の開口５２の縁部に係止可能なクリップ５８がハウジング５３に設けられているとともに、開口５２の縁部から内装材５１の裏面５１ａに沿って突出する突出部５９が機能部５７の機能部本体７０に突設されている。
【００１７】
そして、この室内照明灯５は、図１および図３に示すように、意匠部５５に機能部５７が支持されることにより、ハウジング５３と突出部５９とが内装材５１を挟持して自己保持するように構成されている。
【００１８】
この室内照明灯５を内装材５１に取り付ける場合は、図２に示すように、まず意匠部５５を内装材５１の表面５１ｂ側から開口５２に取り付ける。このとき、意匠部５５のクリップ５８を開口５２の縁部に係止して意匠部５５を内装材５１に仮固定する。
【００１９】
次に、内装材５１の裏面５１ａにワイヤーハーネス（図示せず）を配策する。次に、内装材５１の裏面５１ａ側から意匠部５５に機能部５７を組み付ける。これによって、図１に示すように、機能部５７の突出部５９と意匠部５５のハウジング５３によって、内装材５１の開口５２の縁部が挟持される。
【００２０】
このようにして、室内照明灯５を内装材５１に取り付けた後、この内装材５１を車両の天井に取り付ける。
【００２１】
このように、本発明の室内照明灯５は、機能部本体７０に設けられた突出部５９と意匠部５５に設けられたハウジング５３とによって、内装材５１が挟持されることにより、室内照明灯５が自己保持されるので、従来のように内装材に室内照明灯を固定する為に室内照明灯に固定手段や係止部材などを設ける必要がない。また、内装材側に補強部材を設ける必要がない。
【００２２】
従って、室内照明灯５および車両の構成を簡略化できるとともに部品点数を削減できるので、コストダウンが可能になる。
【００２３】
また、車両のリインフォースの有無や、天井の材質の相違などにかかわらず、同一の室内照明灯５を使用できるので、室内照明灯５の設計、製造、部品管理などが容易になる。
【図面の簡単な説明】
【００２４】
【図１】本発明に係る実施形態を示す断面図である。
【図２】本発明に係る実施形態を示す分解斜視図である。
【図３】本発明に係る実施形態の組み立て状態を示す斜視図である。
【図４】従来例を示す分解斜視図である。
【図５】別の従来例を示す分解斜視図である。
【符号の説明】
【００２５】
５  室内照明灯
５１  内装材
５１ａ  裏面
５１ｂ  表面
５２  開口
５３  ハウジング
５４  レンズ
５５  意匠部
５６  光源
５７  機能部
５８  クリップ
５９  突出部
【図１】
2005075023.tif 000003
【図２】
2005075023.tif 000004
【図３】
2005075023.tif 000005
【図４】
2005075023.tif 000006
【図５】
2005075023.tif 000007